(57)【特許請求の範囲】
【請求項１】
移動電子装置（１００）であって、
表示ユニット（１０２）と、
少なくともロック解除機能と関連付けられた第１のキーロックアイコン及び第２のキーロックアイコン（１０６、１０７）を前記移動電子装置（１００）に表示するように構成された制御ユニットとを有し、
前記制御ユニットは、
前記移動電子装置の現在の位置を認識し、
前記第１のキーロックアイコン（１０７）の選択に応答して前記移動電子装置をロック解除したとき、前記表示ユニット（１０１）を起動し、且つ、第１の動的開始ページ（２１０、２２０）を提示し、
ここで、前記第１の動的開始ページは、認識された現在の位置に関連付けられた少なくとも１つの動作を含む；
ユーザの選択に応じて、前記第１の動的開始ページ（２１０，２２０）における１つの動作を直接起動する
ように構成されることを特徴とする移動電子装置。
【請求項２】
前記第１の動的開始ページ（２１０、２２０）は事前定義されることを特徴とする請求項１に記載の装置。
【請求項３】
前記移動電子装置（１００）は、前記第２のキーロックアイコン（１０６）の選択に応答して提示される第２の非動的開始ページ（２３０）を含むことを特徴とする請求項１に記載の装置。
【請求項４】
前記動作は、前記移動電子装置の測位手段から受信した位置パラメータに基づいて、少なくとも１つのアプリケーションを起動することを特徴とする請求項１に記載の装置。
【請求項５】
前記動作は、前記移動電子装置の時間登録手段から受信した時間パラメータに基づいて、少なくとも１つのアプリケーションを起動することを特徴とする請求項１に記載の装置。
【請求項６】
前記少なくとも１つのアプリケーションは、ユーザ入力の応答として事前定義されることを特徴とする請求項４又は５に記載の装置。
【請求項７】
移動電子装置の表示ユニットが停止されている（２００）ロック状態の前記移動電子装置（１００）をロック解除する方法であって、
前記移動電子装置（１００）の前記表示ユニット（１０１）に結合された少なくとも第１のキーロックアイコン及び第２のキーロックアイコン（１０６、１０７）のうちの１つを選択するステップと、
ロック解除事象が発生した場合に前記表示ユニットを起動することで前記移動電子装置をロック解除するステップとを備え、
前記方法は更に、
選択された第１のキーロックアイコン（１０７）に応答して第１の動的開始ページ（２１０、２２０）を提示するステップと、
ここで、前記第１の動的開始ページは、前記移動電子装置（１００）の測位手段から受信した位置パラメータ及び時間登録手段から受信した時間パラメータに割り当てられた少なくとも１つの動作を含む；
ユーザの選択に応じて、前記第１の動的開始ページ（２１０，２２０）における１つの動作を直接に起動するステップと
を更に備えることを特徴とする方法。
【請求項８】
前記第１の動的開始ページは事前定義されることを特徴とする請求項７記載の方法。
【請求項９】
ユーザ入力（２２１）に基づいて前記第１の動的開始ページ（２１０，２２０）をカスタマイズするステップと、
ユーザ入力の検出に応答して、前記第１の動的開始ページ（２１０，２２０）への前記ユーザ入力に基づくアプリケーションを追加するステップと、
前記追加されたアプリケーションが起動することになる座標または半径（２２２）を特定するステップと
を更に備えることを特徴とする請求項７に記載の方法。
【発明の詳細な説明】
【技術分野】
【０００１】
本発明は、一般に、特定の場所又は時間において移動通信装置のロック画面から直接動作又はアプリケーションにアクセスする装置及び方法に関する。また本発明は、移動端末、すなわち移動端末、パーソナルデジタルアシスタント、ポータブル音楽プレーヤ及びスマートフォン等の移動通信装置に関する。
【背景技術】
【０００２】
今日、スマートフォン等の種々の移動通信装置が広く使用されている。装置は、種々の機能を実行するように構成される。そのような機能の例としては、データ通信及び音声通信、カメラを介した画像及びビデオの撮像、音楽ファイルの再生等が含まれる。移動通信装置の中には、ゲームをサポートする更なる機能性を含むものもある。
【０００３】
移動通信装置の多機能性に対する努力が継続して行われている。そのような努力は、移動通信装置の構造的及び機能的な構成要素の変更及び改善だけではなく、ハードウェア及びソフトウェアの改善も含む。多数のアイコンが、移動通信装置の表示ユニットに表示され、それらは種々の機能性及び動作を提供している。
【０００４】
このような通信装置の多くは、表示ユニットを、通信装置が停止されるロック状態又はスリープモードに至るようになっている。そのような移動通信装置は、一般に、タッチスクリーン上の専用の機械ボタン又はタッチ可能領域を使用することでロック又はロック解除される。移動電子装置がロック解除される場合、ユーザは、ディスプレイに提示された事前定義済みのビューに到達する。しかし、ユーザは、特定の場所及び時間において、例えばバス停の時刻表等の特定の機能又はアプリケーションに迅速にアクセスしたい場合もある。これを実行する通常の方法は、通信装置をロック解除し、アプリケーショントレイを選択し、ブラウザを開き、サービスのウェブアドレスを入力し、時刻表を確認する方法である。この動作は、時間がかかり、ユーザによっては煩わしく感じるだろう。
【発明の概要】
【０００５】
上述の点を考慮して、本発明のいくつかの実施形態の一態様は、個々に又はあらゆる組合せで当該技術分野における先に識別された欠陥及び欠点のうちの１つ以上を改善、緩和又は除去する、改善された移動通信装置を提供する。
【０００６】
本発明の一態様は、表示ユニットと、少なくともロック解除機能と関連付けられた第１のキーロックアイコン及び第２のキーロックアイコンを移動電子装置に表示するように構成された制御ユニットとを備える移動電子装置に関する。制御ユニットは、選択されるキーロックアイコンに応答して移動電子装置をロック解除し且つ第１の動的開始ページを提示する時に表示ユニットを起動するように構成される。
【０００７】
一実施形態において、第１の動的開始ページは事前定義される。
【０００８】
一実施形態において、移動電子装置は、提示される第２のキーロックアイコンに応答して提示される第２の非動的開始ページを含む。
【０００９】
一実施形態において、少なくとも１つのアプリケーションは、移動電子装置の位置手段から受信した位置パラメータに基づいて第１の動的開始ページに提示される。少なくとも１つのアプリケーションは、ユーザ入力の応答として事前定義される。
【００１０】
一実施形態において、少なくとも１つのアプリケーションは、移動電子装置の時間登録手段から受信した時間パラメータに基づいて第１の動的開始ページに提示される。少なくとも１つのアプリケーションは、ユーザ入力の応答として事前定義される。
【００１１】
本発明の別の態様は、移動電子装置の表示ユニットが停止されるロック状態となっている移動電子装置をロック解除する方法に関する。この方法は、移動電子装置の表示ユニットに結合された少なくとも第１のキーロックアイコン及び第２のキーロックアイコンのうちの１つを選択するステップと、ロック解除事象が発生した場合に表示ユニットを起動することで移動電子装置をロック解除するステップとを備える。そして、この方法は、選択されたキーロックアイコンに応答して第１の動的開始ページを提示するステップを更に備える。
【００１２】
一実施形態において、第１の動的開始ページは事前定義される。
【００１３】
一実施形態において、この方法は、ユーザ入力を検出することに応答してユーザ入力に基づいて第１の動的開始ページをカスタマイズするステップと、第１の動的開始ページへのユーザ入力に基づいてアプリケーションを追加するステップと、表示される追加されたアプリケーション内の範囲を選択するステップとを更に備える。
【００１４】
上述の実施形態の特徴は、あらゆる組合せで組み合わされる。
【００１５】
本発明のいくつかの実施形態は、通信装置をロック解除することに応答して特定の場所又は時間において事前定義済みのアプリケーション又は動作に迅速にアクセスする改善された装置及び方法を提供する。
【００１６】
本発明の更なる目的、特徴及び利点は、本発明の以下の詳細な説明から明らかとなるだろう。添付の図面を参照して本発明の実施形態を更に詳細に説明する。
【図面の簡単な説明】
【００１７】
【図１】本発明に係る移動通信装置を示す図である。
【図２】本発明に係る方法の一実施形態を示すフローチャートである。
【図３ａ】、
【図３ｂ】本発明に係る方法の一実施形態を示すフローチャートである。
【発明を実施するための形態】
【００１８】
本発明の実施形態は、一般に、移動通信装置の分野に関する。好適な一実施形態は、１つ以上の入力装置を含む移動電話等のポータブル通信装置に関する。しかし、理解しやすく且つ簡潔にするために、本明細書において概略を示される殆どの実施形態は移動電話に関する。
【００１９】
本発明の実施形態を示す添付の図面を参照して、本発明の実施形態を以下に更に詳細に説明する。しかし、本発明は、多くの異なる形態で具体化されてもよく、本明細書において説明される実施形態に限定されるものとして解釈されるべきではない。これらの実施形態は、本開示内容が完璧で完全なものとなり、本発明の範囲が当業者に完全に理解されるように提供される。説明において、同一の図中符号は同一の要素を示す。
【００２０】
本発明の一実施形態に係る移動通信装置１００を図１に示す。移動通信装置は、一般に実現されたいくつかの構成要素により構成される。
【００２１】
装置１００は、装置１００が配置される無線通信システム又は無線通信ネットワークと装置１００との間の無線通信を可能にする１つ以上の構成要素を含む無線通信ユニット（不図示）を備える。
【００２２】
放送受信モジュール（不図示）も移動通信装置１００に含まれても良い。放送受信モジュールは、放送チャネルを介して外部の放送管理エンティティから放送信号及び／又は放送関連情報を受信する。放送関連情報の例には、放送チャネル、放送プログラム、放送サービスプロバイダ等と関連付けられた情報が含まれる。放送信号は、例えばＴＶ放送信号、ラジオ放送信号及びデータ放送信号として実現される。
【００２３】
無線インターネットモジュール（不図示）が、装置１００に対するインターネットアクセスをサポートする。このモジュールは、内部で又は外部で装置１００に結合される。
【００２４】
位置特定モジュール（不図示）が、移動通信装置１００の場所を識別又は取得する。このモジュールは、例えば、関連する衛星と協働する全地球測位システム（ＧＰＳ）構成要素、ネットワーク構成要素及びそれらの組合せを使用して実現される。
【００２５】
図１は、正面から見た一般的な移動通信装置を示す。この場合、移動電話１００は、ケース１０１と、表示領域１０２と、表示領域に表示された項目間の操縦を行う入力手段１０３とを備える。一般に移動電話は、スピーカ１０４とマイク１０５とを更に備える。移動する１０３入力手段は、関連する入力手段のユーザ操作に応答して入力データを生成する。そのような入力手段の例には、タッチパッド、キーパッド、ドームスイッチ、タッチパッド、ジョグホイール及びジョグスイッチが含まれる。
【００２６】
一般に出力ユニットは、移動通信装置１００の出力要求をサポートする種々の構成要素を備える。一般に表示ユニット１０２は、移動通信装置１００と関連付けられた情報を視覚的に表示するように実現される。表示ユニット１０２には、制御要素、機能メニュー又は移動通信装置１００を操作する他のグラフィック要素だけではなく、例えば文字、画像及びビデオ等の情報も表示可能である。
【００２７】
一実施形態において、表示ユニット１０２は、タッチパッド等の入力手段１０３と協働して動作するタッチパネルとして構成される。この構成により、表示ユニット１０２は、出力ユニット及び入力手段の双方として機能できる。タッチパネルは、タッチパネルの表面に対するタッチに反応するタッチパッドを含む。タッチパッドは、表示ユニット１０２の上面として設けられたタッチセンシティブ層として提供されてもよいが、表示ユニット１０２に組み込まれてもよい。
【００２８】
移動電子装置１００の動作は、例えばマイクロプロセッサ及びメモリを備える制御ユニットにより制御される。制御ユニットは、表示ユニット１０２を制御し、入力ユニット１０３から受信した入力信号を解釈する。制御ユニットは、キーパッド又はタッチパネルを介して対応するユーザ入力に応答して特定の機能を実行する。例えば制御ユニットは、ユーザによりキーパッド上の特定のキー、キーロックボタン１０６又はタッチパネル上の特定のグラフィック制御要素、キーロックアイコン１０６の作動に対応する入力信号を受信することに応答して、表示ユニットを起動して移動通信装置を作動する。
【００２９】
本発明に係る一実施形態においては、より迅速で高度な電話のロック解除機能が提供される。ステップ２３０で図３ａに示されたようなホーム画面にユーザを誘導する更なるキーロック機能が、すなわち通常のロック解除機能に加えて追加される。表示ユニット１０２の特定のアイコン又はボタン１０７は、ステップ２１０、２２０で図２又は図３ａに示されたようなこの特定の場所に割り当てられた動作を示す。この電話は、ユーザにより特定されたこれらの座標又は半径に割り当てられた動作に対する現在の位置及びスイッチを認識する（２１１）。次にユーザは、その特定の動作に直接ロック解除でき、例えば、アプリケーションを起動すること、ウェブＵＲＬを開くこと等が可能である（２１２）。
【００３０】
図２は、追加される場所別の動作、アイコンに対する単純なロック解除、動的な（場所又は時間に基づく）トリガを示すステップ２００を示す。ＵＩは、場所及び時間の情報をその特定の場所及び時間に関連した動作のリストと比較し、ステップ２１１で位置に関連した認識された動作又はアプリケーションのリストを更に表示するか、あるいはステップ２２０で動作を作成するようにユーザに入力指示する。次にユーザは、ステップ２２２において、場所内からそれが動作すべき半径内でステップ２２１、２２１ａ、２２１ｂで割り当てる動作を選択する。これにより、ユーザがこの半径／場所に入る度に、動的ロック解除機能は、この割り当てられた動作に切り替わることになる。すなわち、ユーザがその場所に割り当てられた動作で別の場所に移動する場合、機能は、その特定の動作でロック解除することになる。
【００３１】
一実施形態において、ソフトウェア（ＳＷ）はユーザの挙動(behavior)を認識する。一般にユーザは、特定の時間において、発呼又は着呼等のアドホック使用とは別に、同一のアプリケーションを使用する。すなわち、ユーザは、バスで通勤する際に特定のゲームをしたりあるいは電子メールをチェックしたりする。ＳＷは、この挙動を認識し、自動的に特定のアプリケーションをロック解除機能に割り当てる。これは、ユーザが特定の時点で実行する可能性が最も高い動作である。当然、ホーム画面に対する通常のロック解除は依然として作動すべきである。
【００３２】
図３ａは、移動電子装置１００の表示画面１０１の一実施形態を示す。移動電子装置の表示画面が停止されるロック状態で動作可能な移動装置が提供される（２００）。移動電子装置は、表示画面１０１に結合され且つ第１の圧力手段に圧力を加えることを検出するように構成された少なくとも第１の圧力手段１０６、１０７と、移動電子装置がロック状態で動作している場合に且つ表示画面に圧力を加えることを検出する圧力手段に応答してロック解除事象が発生したかを判定し、且つロック解除事象が発生する場合に表示画面を起動することで移動電子装置をロック解除するように構成された制御ユニットとを備える。移動電子装置は、第１の圧力手段１０７に応答して移動電子装置をロック解除し且つ表示画面を起動する場合に第１の動的開始ページ２１０、２２０を起動するように構成される。
【００３３】
一実施形態において、第１の動的開始ページは事前定義される（２１０）。少なくとも１つのアプリケーションは、移動電子装置の位置手段から受信した位置パラメータに基づいて第１の動的開始ページに提示される。少なくとも１つのアプリケーションは、移動電子装置の時間登録手段から受信した時間パラメータに基づいて第１の動的開始ページに更に提示される。少なくとも１つのアプリケーションは、ユーザ入力の応答として更に事前定義される。
【００３４】
一実施形態において、移動電子装置は第２の非動的開始ページ２３０を含む。移動電子装置は、第２の圧力手段１０６に応答して移動電子装置をロック解除し且つ表示画面を起動する場合に第２の動的開始ページ２３０を起動するように構成される。
【００３５】
図３ｂは、移動電子装置の表示画面が停止されるロック状態にあるときの、移動電子装置をロック解除する方法の一実施形態を示す。この方法は、表示画面１０１に結合された少なくとも第１の圧力手段１０６及び第２の圧力手段１０７のうちの１つにより、圧力を加えることを検出することに応答して少なくとも第１の圧力手段１０６及び第２の圧力手段１０７のうちの１つに圧力を加えることを検出するステップと、ロック解除事象が発生したかを判定するステップと、ロック解除事象が発生した場合に表示画面を起動することで移動電子装置をロック解除するステップ２００とを備える。この方法は、少なくとも第１の圧力手段及び第２の圧力手段のうちの１つに圧力を加えることを検出することに基づいて移動電子装置をロック解除する場合に少なくとも第１の開始ページ及び第２の開始ページのうちのどちらを表示するかを判定するステップ２１０、２２０、２３０と、判定された開始ページをディスプレイに提示するステップとを更に備える。
【００３６】
この方法は、ユーザ入力２２１に基づいて第１の動的開始ページをカスタマイズするステップと、ユーザ入力を検出することに応答して、第１の動的開始ページへのユーザ入力に基づいてアプリケーションを追加するステップとを更に備える。ユーザは、特定のアプリケーション２２１ａを開始するかあるいは特定のウェブＵＲＬ２２１ｂを入力するかを選択する。選択された動作は、特定の場所２２２及び／又は時間に更に関連する。ユーザが特定の動作を選択すると、ユーザはその動作を確定し（２２３）、その動作は、追加され、ユーザが特定の場所及び／又はその特定の時間において第１の圧力手段を使用することで装置をロック解除する度に提示される。
【００３７】
本明細書において使用された専門用語は、特定の実施形態を説明するためだけのものであり、本発明を限定することを意図しない。本明細書において使用されるように、特に指定のない限り、単数形は複数形も含むことを意図する。「含む」及び／又は「備える」という用語は、本明細書で使用される場合、記載される特徴、数字、ステップ、動作、要素及び／又は構成要素の存在を特定するが、１つ以上の他の特徴、数字、ステップ、動作、要素、構成要素及び／又はそれらの集合の存在又は追加を除外しないことが更に理解されるだろう。
【００３８】
本発明の動作原理、好適な実施形態及びモードを上述した。しかし、本発明は、限定するものではなく例示するものとして考えられるべきであり、上述の特定の実施形態に限定されるものとして考えられるべきではない。本発明の種々の実施形態の種々の特徴は、明示的に説明された以外の組合せで組み合わされてよい。従って、以下の特許請求の範囲により規定されるような本発明の範囲から逸脱せずに、当業者によりこれらの実施形態において変形が行われてもよいことが理解されるべきである。
【図１】
0005878233.tif 000002
【図２】
0005878233.tif 000003
【図３ａ】
0005878233.tif 000004
【図３ｂ】
0005878233.tif 000005